(57)【特許請求の範囲】
【請求項１】
現像後の写真フイルムを画像データとして読み取り、この画像データにデータ処理を施して画像補正を行った後にプリントするデジタルプリントシステムにおいて、
前記データ処理に必要な補正データを、補正項目に関係付けた複数色のうちのいずれかの色で表現されるカラーバーで前記写真フイルム上に記録し、この補正データを基にしてデジタル処理を施した後にプリントすることを特徴とするデジタルプリントシステム。
【請求項２】
前記カラーバーの色は、ＲＧＢの３原色の組み合わせにより表現される色のうちのいずれかであることを特徴とする請求項１記載のデジタルプリントシステム。
【請求項３】
前記補正データは、前記写真フイルムの収差を補正するためのデータであることを特徴とする請求項１又は２記載のデジタルプリントシステム。
【請求項４】
前記補正データは、前記写真フイルムの縦方向と横方向の各々のディストーションを補正するためのデータであり、前記画像データは、縦方向と横方向各々別にディストーション補正されることを特徴とする請求項１ないし３いずれか記載のデジタルプリントシステム。
【請求項５】
前記補正データは、前記写真フイルムの露光の際に光源としてストロボを使用したか否かを示すデータであり、前記画像データは、ストロボを使用した撮影コマに対しては、露光濃度が高いエリアを重点的に露光補正し、ストロボを使用しない撮影コマに対しては、画面全体が適正露光になるように露光補正することを特徴とする請求項１ないし４いずれか記載のデジタルプリントシステム。
【請求項６】
前記補正データは、倍率色収差の補正データであり、前記写真フイルムを画像データとして読み取ることにより得られる、ＲＧＢ３原色の各々の画像データの内、少なくとも１色の画像データを、前記補正データを基にして変倍するとともに、この変倍により生じた画素のズレを補正することにより、倍率色収差を補正することを特徴とする請求項１ないし５いずれか記載のデジタルプリントシステム。
【請求項７】
前記補正データは、前記写真フイルムの露光時の周辺光量の補正データであり、前記画像データは、この周辺光量の補正データを基にして画像の中央部から周縁に向かっての距離に応じて、周辺光量の輝度を補正することを特徴とする請求項１ないし６いずれか記載のデジタルプリントシステム。
【発明の詳細な説明】
【０００１】
【発明の属する技術分野】
本発明は、デジタル処理によるプリントシステムに関し、特に撮影画像データをデジタル処理により補正するプリントシステムに関するものである。
【０００２】
【従来の技術】
従来、広く行われている写真感光材料による光学的写真システムは、撮影レンズにより被写体の潜像を記録した写真フイルムを、現像、定着処理を行うことにより潜像を可視像として固定し、この画像を写真プリンターのレンズを使って印画紙の上に拡大露光し、この印画紙を現像、定着処理することにより、プリント写真を得るものである。このため、印画紙上の画像は、写真プリンターの引き伸ばしレンズの性能を考慮しなければ、全く相似の画像を得ることができない。
【０００３】
一方、近年の電子的画像処理技術、特にデジタル画像処理技術の発展に伴い、現像、定着処理後の写真フイルム上の画像をＣＣＤ等で撮像し、コンピュータにより階調補正を施した後にプリントする、デジタルプリント写真が商品化されている。
【０００４】
【発明が解決しようとする課題】
しかしながら、これらプリント写真を得るためのシステムは、光学的方法や電気的デジタル処理による方法の何れにおいても、写真フイルムのネガに撮影された画像が良好であることを前提にして構成されたシステムであり、カメラの撮影レンズは、収差が充分に補正されていることが前提であった。このため、コンパクトカメラやレンズ付きフイルムユニットのように、主にコスト面から収差の補正をある程度犠牲にした撮影レンズを使用して撮影された写真フイルムの場合、高画質なプリント写真を得ることは難しかった。
【０００５】
本発明は上記課題を解決するためのものであり、高画質のプリント写真を低コストで簡単に得られるようにしたデジタルプリントシステムを提供することを目的とする。
【０００６】
【課題を解決するための手段】
上記目的を達成するために、本発明によれば、現像後の写真フイルムを画像データとして読み取り、この画像データにデータ処理を施して画像補正を行った後にプリントするデジタルプリントシステムにおいて、前記データ処理に必要な補正データを、補正項目に関係付けた複数色のうちのいずれかの色で表現されるカラーバーで写真フイルム上に記録し、この補正データを基にしてデジタル処理を施した後にプリントするものである。
【０００７】
請求項２においては、前記カラーバーの色を、ＲＧＢの３原色の組み合わせにより表現される色のうちのいずれかとしたものである。
【０００８】
請求項３においては、前記補正データを、前記写真フイルムの収差を補正するためのデータとしたものである。
【０００９】
請求項４においては、前記補正データを、前記写真フイルムの縦方向と横方向の各々のディストーションを補正するためのデータとし、前記画像データを、縦方向と横方向各々別にディストーション補正するようにしたものである。
【００１０】
請求項５においては、前記補正データを、前記写真フイルムの露光の際に光源としてストロボを使用したか否かを示すデータとし、この画像データは、ストロボを使用した撮影コマに対しては、露光濃度が高いエリアを重点的に露光補正し、ストロボを使用しない撮影コマに対しては、画面全体が適正露光になるように露光補正するようにしたものである。
【００１１】
請求項６においては、前記補正データを、倍率色収差の補正データとし、前記写真フイルムを画像データとして読み取ることにより得られる、ＲＧＢ３原色の各々の画像データの内、少なくとも１色の画像データを、前記補正データを基にして変倍するとともに、この変倍により生じた画素のズレを補正することにより、倍率色収差を補正するものである。
【００１２】
請求項７においては、前記補正データを、前記写真フイルムの露光時の周辺光量の補正データとし、前記画像データは、この周辺光量の補正データを基にして画像の中央部から周縁に向かっての距離に応じて、周辺光量の輝度を補正するものである。
【００１３】
【発明の実施の形態】
図２は、本発明のデジタルプリントシステムに使用可能なレンズ付きフイルムユニットを示す外観斜視図であり、図３は、その分解斜視図である。レンズ付きフイルムユニット２は、写真フイルムカートリッジ１８や撮影機構１４等を内蔵したユニット本体３と、これを包む外装体４とから構成されている。外装体４は、ユニット本体３の巻き上げノブ５，シャッタボタン６，ストロボ発光部７等を露呈させるような輪郭となっている。また、撮影レンズ８，ファインダ９及び撮影枚数表示窓１０等を露出させるための穴が設けられており、外装体４でユニット本体３を包んだ状態で撮影操作を行うことができる。
【００１４】
図３に示すように、ユニット本体３は、本体基部１２，後カバー１３，撮影機構１４、ストロボユニット１５、及び前カバー１６とから構成されている。本体基部１２の前面には、撮影レンズ８，シャッタ機構とシャッタチャージ機構巻き止め機構等がメカベースに組み付けられてユニット化された撮影機構１４が取り付けられる。後カバー１３は、本体基部１２の背後に組み付けられて本体基部１２との間で写真フイルムカートリッジ１８を光密に収納する。
【００１５】
前カバー１６は、本体基部１２の前面に取り付けられる。この前カバー１６の上面には、その一部を切り欠いて弾性自在に形成したシャッタボタン６が設けられている。このシャッタボタン６の下部には、押圧ロッド（図示せず）が一体に設けられており、この押圧ロッドにより撮影機構１４の構成部品を押圧してシャッタ機構を作動させる。
【００１６】
本体基部１２の中央には露光開口３１が形成されており、この露光開口３１の前面に撮影機構１４が取り付けられる。露光開口３１の両側には、写真フイルムカートリッジ１８のカートリッジ本体２０を収納するためのカートリッジ室２１と、カートリッジ本体２０から引き出された未露光の写真フイルム２２をロール状にしたフイルムロール２２ａを収納するためのフイルムロール室２３とが各々一体に形成されている。
【００１７】
これらカートリッジ室２１とフイルムロール室２３の底面は、各々開口面となっており、写真フイルムカートリッジ１８を装填した後に、後カバー１３に一体に設けられている底蓋２８，２９によってそれぞれ光密に塞がれる。そして、この本体基部１２の背面上部には、逆転防止爪２５が一体に形成されている。
【００１８】
図４に示すように、写真フイルムカートリッジ１８は、近年、一般に普及しつつある新しい方式の写真システムである「 Advanced Photo System（ＡＰＳ）」に対応したものであり、その構成等の詳細は、例えば、特開平６−３０１１５７号公報等に記載されている。カートリッジ本体２０は遮光性のプラスチックで形成されており、特開平６−２６６０５３号公報で知られるようなフイルム送り出し機構が内蔵されている。
【００１９】
カートリッジ本体２０は、未使用時には写真フイルム２２を全て内部に収納しておき、使用時には、写真フイルム２２の一端と係合しているスプール２６の回転によって写真フイルム２２を外部に送り出す。また、写真フイルム２２が引き出されるフイルム出入り口２０ｂには、写真フイルム２２が全て巻き込まれたときに回動されてカートリッジ本体２０内を遮光する遮光蓋（図示せず）が軸着されている。
【００２０】
写真フイルム２２には各撮影コマ３２に２個の割合でパーフォレーション２２ｂが形成されており、撮影機構１４に組み込まれた２歯スプロケット（図示せず）がこれらに係合することにより、巻止め機構が作動して巻き上げノブ５にロックをかける。この間のフイルム給送に連動してシャッタチャージが行われる。そして、シャッタレリーズ操作により撮影が行われ、以後これを繰り返すことによって、写真フイルム２２の後端側（スプール２６に係止された側）から先端側に向かって順次に撮影が行われるようになる。
【００２１】
図１に示すように、写真フイルム２２の各撮影コマ３２の間には、プリント時に各々の撮影コマ３２の補正を行う時に参照するための、Ｒ（レッド）倍率色収差の補正データ３３（以下、Ｒ倍率色収差データという）、Ｂ（ブルー）倍率色収差の補正データ３４（以下、Ｂ倍率色収差データという）、水平ディストーション補正データ３５（以下、水平ディストーションデータという）、垂直ディストーション補正データ３６（以下、垂直ディストーションデータという）、撮影光源データ３７、及び、周辺光量補正データ３８が各々、２色のバーコードで光学的に記録されている。
【００２２】
この内、撮影光源データ３７は、露光の光源の種類を記録するデータであり、自然光とストロボ光との何れの光源であるかを記録することにより、後述するデジタル画像処理の範囲を変える。なお、この撮影光源データ３７は、レンズ付きフイルムユニット２に設けられた、ストロボ装置１５の使用の有無に連動する、バーコードを潜像記録する撮影光源データ記録部（図示せず）により、撮影時に１コマづつ記録される。また、周辺光量補正データ３８は、撮影レンズ８の画面中心から周辺に向かって露光量のなだらかな減少を補正するためのデータである。
【００２３】
次に、上記レンズ付きフイルムユニット２を用いて撮影された写真フイルム２２を、デジタル処理による補正を行ってプリントするプリンタプロセサについて説明する。図５は、プリンタプロセサの概要を示すブロック図である。フイルムプロセサで現像処理された写真フイルムカートリッジ１８はプリンタプロセサ４０のカートリッジキャリア（図示せず）にセットされ、写真フイルム２２が先端から繰り出される。
【００２４】
撮像用開口４３のフイルム送り上流側にはフォトセンサ４５が配置されている。このフォトセンサ４５は、各撮影コマ３２の間に設けられた、Ｒ倍率色収差データ３３、Ｂ倍率色収差データ３４、水平ディストーションデータ３５、垂直ディストーションデータ３６、撮影光源データ３７、及び、周辺光量補正データ３８を示すバーコードを読み取る。フォトセンサ４５で読み取った各データはデコーダ４６を介してコントローラ４７に送られる。そして、これら各補正データは、補正データメモリ４８に記憶される。
【００２５】
撮像用開口４３の下方には、撮像用の光源部５１が配置されている。撮像用の光源部５１は、白色光源５２と拡散箱５３とから構成されており、写真フイルム１８の撮像対象コマを照明する。撮像用光源部５１で照明された撮像対象コマは撮像部５４で撮像され、各撮影コマ３２ｂの撮影画像は、撮影画像メモリ５５に順次記憶される。
【００２６】
コントローラ４７には、画像補正処理部５７が接続される。画像補正処理部５７は、プリントする各撮影コマ３２ｂの撮影画像を、補正データメモリ４８に記憶されているＲ倍率色収差データ３３、Ｂ倍率色収差データ３４、水平ディストーションデータ３５、垂直ディストーションデータ３６、撮影光源データ３７、及び、周辺光量補正データ３８を基にして、画像補正する。
【００２７】
画像補正処理部５７で補正された画像データは液晶ドライバ６１に送られる。液晶ドライバ６１は、画像補正処理部５７で適正に補正された画像データを基にした画像（ネガ像）を液晶表示パネル６２に表示する。液晶表示パネル６２を照明する光源部６３は、赤色，緑色，青色の発光ダイオード６３ａ，６３ｂ，６３ｃを備えており、ミラー６３ｄを介して液晶表示パネル６２を照明する。
【００２８】
写真プリント用のカラーペーパー６５は、ペーパーストッカ６６から繰り出し供給され、プリント部６７において、液晶表示パネル６２からの透過光が焼付レンズ６４を介して液晶表示パネル６２に表示された画像をカラーペーパー６５に焼付露光させる。そして、焼付露光済みのカラーペーパー６５はペーパープロセサ６８に送られ、ここで現像処理された後に、各コマ毎に切り離されて、プリント写真６９としてトレー７１に排出される。なお、符号７２，７３はペーパーリザーバーであり、カラーペーパー６５を所定量ループ状に貯留する。また、符号７４はカッタであり、プリント処理を中断する場合に駆動され、焼付露光済みのカラーペーパー６５のみを未露光のカラーペーパー６５から切り離してペーパープロセサ６８に送るためのものである。
【００２９】
次に、本実施形態の作用について説明する。本発明のデジタルプリントシステムでプリントが可能な、レンズ付きフイルムユニット２の写真フイルム２２は、予め、撮影レンズ８の特性に対応した補正データである、Ｒ倍率色収差データ３３、Ｂ倍率色収差データ３４、水平ディストーションデータ３５、垂直ディストーションデータ３６、及び、周辺光量補正データ３８が、撮影コマ３２ｂの間に各々記録されている。
【００３０】
撮影者は、ファインダ９を覗いて撮影範囲を確認し、シャッタボタン６を押圧することにより撮影が行われるが、この時、ストロボ装置１５を使用したストロボ撮影を行うと、ストロボ装置１５に連動する、バーコードを潜像記録するための撮影光源データ記録部（図示せず）が動作し、撮影コマ３２ｂの間に、光源がストロボ光であることを示す撮影光源データ３７が潜像記録される。
【００３１】
全数撮影が終了したレンズ付きフイルムユニット２は、そのまま現像所に提出され、写真フイルムカートリッジ１８が取り出されて現像処理される。
【００３２】
現像処理が済んだ写真フイルムカートリッジ１８は、フイルムキャリア（図示せず）にセットされ、写真フイルム１８が繰り出される。繰り出された写真フイルム１８は、先ずフォトセンサ４５に達して、各撮影コマ３２の間に設けられた、Ｒ倍率色収差データ３３、Ｂ倍率色収差データ３４、水平ディストーションデータ３５、垂直ディストーションデータ３６、撮影光源データ３７、及び、周辺光量補正データ３８が各々読み取られ、デコーダ４６を介してコントローラ４７に送られる。そして、各補正データは、補正データメモリ４８に順次記憶される。
【００３３】
次に、写真フイルム１８は撮像用開口４３において、１撮影コマづつ撮像部５４に撮像され、撮影画像メモリ５５に順次記憶される。そして、最終撮影コマの撮像が完了すると、１個分の写真フイルムカートリッジ１８の画像入力が完了する。
【００３４】
図６は、プリンタプロセサにおける、各撮影コマの撮像後のデジタル補正からプリントまでの流れを簡単に示すフローチャートである。全撮影コマの撮像が完了するか、又は、撮像が完了した撮影コマから、順次プリントが開始される。まず、プリントする撮影コマの画像データが、撮影画像メモリ５５から読み出され、画像補正処理部５７に送られる。同時に、補正データメモリから、対応する撮影コマのＲ倍率色収差データ３３、Ｂ倍率色収差データ３４、水平ディストーションデータ３５、垂直ディストーションデータ３６、撮影光源データ３７、及び、周辺光量補正データ３８が各々読み出され、画像補正処理部５７に送られる。
【００３５】
画像補正処理部５７に送られた撮影コマの画像データは、先ず、撮影光源データ３７に基づいて、画面の補正範囲が決定される。撮影光源データ３７が自然光である場合には、各デジタル補正を画面全体に均一に行い、ストロボ光である場合には、一定輝度で露光されている範囲だけをデジタル補正する。
【００３６】
画像補正処理部５７は、次に、Ｒ（レッド）、Ｇ（グリーン）、Ｂ（ブルー）の３色分解画像の内、Ｇ（グリーン）画像を基準として、レッドの倍率色収差をＲ倍率色収差データ３３を基にしてデジタル補正し、続いてブルーの倍率色収差をＢ倍率色収差データ３４を基にしてデジタル補正する。
【００３７】
次に、画像補正処理部５７では、ディストーション（歪曲）を補正する。通常、ディストーションは、光軸の高さで一律に変化するものであるが、レンズ付きフイルムユニットや低価格のコンパクトカメラの場合、フイルム面の長さ方向を撮影レンズに向かって湾曲させているため、撮影レンズの像面湾曲の補正が可能である反面、フイルムの湾曲により負のディストーションが発生し、フイルムのディストーションは垂直方向と水平方向とで異なるようになる。このため、水平方向のディストーションと、垂直方向のディストーションとを分けて補正する。
【００３８】
倍率色収差が補正された画像データは、先ず、水平ディストーションデータ３５に基づいて、写真フイルムの水平方向のディストーションがデジタル補正される。次に、垂直ディストーションデータ３６に基づいて、写真フイルムの垂直方向のディストーションがデジタル補正され、ディストーションの補正が完了する。
【００３９】
最後に、撮影レンズ８の画面中心から周辺に向かって露光量のなだらかな減少を補正するため、周辺光量の補正を行う。周辺光量補正データ３８に基づいて、画面中心から同心円のエリアごとにスキャンした画像データの輝度補正をかけることにより、周辺光量のデジタル補正を行う。
【００４０】
以上のように、各補正データに基づいて、倍率色収差、ディストーション、及び周辺光量が各々デジタル補正された撮影コマの画像データは、液晶ドライバ６１に送られ、画像（ネガ像）として液晶表示パネル６２に表示される。そして、光源部６３からの光により、焼付レンズ６４を介して液晶表示パネル６２に表示された画像がカラーペーパー６５に焼付露光される。この後、カラーペーパー６５はペーパープロセサ６８に送られ、ここで現像処理された後に、各コマ毎に切り離されて、プリント写真６９としてトレー７１に排出される。
【００４１】
以上のような工程により、倍率色収差、ディストーション、及び周辺光量が適正にデジタル補正されたプリント写真が得られる。この様にして得られるプリント写真は、デジタル処理により画像データの補正を行っているので、高画質のプリント写真が低コストで簡単に得られる。
【００４２】
次に、各撮影コマの補正データを多色カラーのうちのいずれかの色で表現されるカラーバーで記録した、本発明の第２の実施形態を説明する。図７は、本発明の写真フイルムの第２の実施形態を示す説明図である。写真フイルム８１の各撮影コマ８２の間に設けられた、Ｒ倍率色収差データ８３、Ｂ倍率色収差データ８４、水平ディストーションデータ８５、垂直ディストーションデータ８６は、各々、ホワイト、レッド、グリーン、ブルー、マゼンタ、イエロー、シアン、ブラックの８色のカラーバーで表現される。
【００４３】
各補正項目とカラーバーのカラーとの関係を表１に示す。なお、表１では、図７に示されていない撮影光源データを示すカラーバーについても、参考までに記載しておく。
【００４４】
【表１】
0003781329.tif 000002
【００４５】
このように、カラー写真フイルムの特性を生かして、多色のカラーバーで各補正データを段階的に表現することにより、白黒等の２値のバーコードを用いる場合と比べて、バーの数が少なくて済み、読み取りが簡単になるという利点がある。また、各補正データが多色のカラーバーで表現されているため、肉眼で見た場合にも、すぐに各補正値が分かるという特長もある。
【００４６】
なお、上述した各実施形態のように、各補正データを各撮影コマの間に設ける以外にも、例えば、図８に示すように、写真フイルム９０の各撮影コマ９１の露光範囲内９２であって、且つ、プリント範囲（図中点線Ａ）の外側に、各補正データ９３を記録してもよい。この場合、デジタル補正処理時に、各撮影コマ９１の画像をフイルムスキャナーで読み取ると同時に、各補正データ９３を読み取ることが可能になり、処理速度が向上すると共に、各補正データを読み取るための専用のセンサが不要になり、コストダウンが可能になる。
【００４７】
なお、上述した実施形態においては、レンズ付きフイルムユニットの写真フイルムの画像の補正例を示したが、勿論、一般のカメラにも、全く同様に適用可能である。
【００４８】
【発明の効果】
以上のように、本発明によれば、現像後の写真フイルムを画像データとして読み取り、この画像データにデータ処理を施して画像補正を行った後にプリントするデジタルプリントシステムにおいて、前記写真フイルムの露光範囲の外側に、撮影機種、又は前記データ処理に必要な補正データを記録し、この補正データを基にしてデジタル処理を施した後にプリントするので、高画質のプリント写真を低コストで簡単に得られるようにしたデジタルプリントシステムを提供することが可能になる。
【図面の簡単な説明】
【図１】本発明のシステムで用いられる写真フイルムの各撮影コマを示す説明図である。
【図２】本発明に適用可能なレンズ付きフイルムユニットを示す外観斜視図である。
【図３】図２の分解斜視図である。
【図４】図２の写真フイルムカートリッジの拡大斜視図である。
【図５】本発明に用いられるプリンタプロセサの構成を示すプロック図である。
【図６】プリンタプロセサにおける各撮影コマの撮像後のプリントまでの流れを簡単に示すフローチャートである。
【図７】第２の実施形態における各撮影コマを示す説明図である。
【図８】第３の実施形態における各撮影コマを示す説明図である。
【符号の説明】
１８  写真フイルム
３２  撮影コマ
３３  Ｒ倍率色収差データ
３４  Ｂ倍率色収差データ
３５  水平ディストーションデータ
３６  垂直ディストーションデータ
３７  撮影光源データ
３８  周辺光量補正データ
【図１】
0003781329.tif 000003
【図２】
0003781329.tif 000004
【図３】
0003781329.tif 000005
【図４】
0003781329.tif 000006
【図５】
0003781329.tif 000007
【図６】
0003781329.tif 000008
【図７】
0003781329.tif 000009
【図８】
0003781329.tif 000010